(57)【特許請求の範囲】
【請求項１】
内視鏡の操作部に形成された突出部の先端に配置された処置具挿入口を覆うための柔軟性のある吸水性材料からなる汚液吸収部材を、上記突出部に着脱自在に保持したことを特徴とする内視鏡の汚液飛散防止具。
【請求項２】
通常は閉じていて処置具が挿入されるとそれによって押し開かれる鉗子栓が上記処置具挿入口部に着脱自在に取り付けられていて、上記突出部からの上記汚液吸収部材の脱落が上記鉗子栓によって阻止されている請求項１記載の内視鏡の汚液飛散防止具。
【請求項３】
通常は閉じていて処置具が挿入されるとそれによって押し開かれる鉗子栓が上記処置具挿入口部に着脱自在に取り付けられていて、上記突出部からの上記汚液吸収部材の脱落を阻止するための部材が、上記鉗子栓とは別部材として設けられている請求項１記載の内視鏡の汚液飛散防止具。
【請求項４】
上記汚液吸収部材に、上記処置具挿通口部が通される孔が形成されている請求項１、２又は３記載の内視鏡の汚液飛散防止具。
【請求項５】
上記鉗子栓又は上記別部材に、上記汚液吸収部材を押さえるための押さえ部が形成されていて、上記操作部又は上記突出部と上記押さえ部との間に上記汚液吸収部材が挟持される請求項１、２、３又は４記載の内視鏡の汚液飛散防止具。
【発明の詳細な説明】
【０００１】
【発明の属する技術分野】
この発明は、鉗子チャンネルの入口である処置具挿入口からの体腔内汚液の飛散を防止するための内視鏡の汚液飛散防止具に関する。
【０００２】
【従来の技術】
内視鏡には一般に、処置具類を通すための鉗子チャンネルが挿入部内に挿通されていて、その先端出口は挿入部の先端において開口し、基端入口である処置具挿入口は操作部において開口している。
【０００３】
ただし、そのままでは、体腔内の圧力によって体腔内の汚液が鉗子チャンネル内を通って操作部側の処置具挿入口から噴出し、術者やその周囲を汚染してしまうことになる。
【０００４】
そこで、そのような汚液噴出を阻止し、且つ鉗子チャンネルに対する処置具の挿脱を行うことができるように、処置具挿入口部には、例えばスリットが形成されたゴム弁からなるいわゆる鉗子栓が装着されている。
【０００５】
【発明が解決しようとする課題】
しかし、鉗子栓に処置具が通されると、ゴム弁のスリットが押し広げられてスリットの端の方の部分では処置具の外周面との間に隙間ができ、その部分から汚液が噴出する場合が少なくない。特に、コイルパイプをシースとする処置具の場合は、外周面に螺旋状に隙間があるので汚液が噴出し易い。
【０００６】
また、シース内に操作ワイヤ等が進退自在に挿通された処置具の場合には、シースと操作ワイヤとの間に隙間があるので、その部分を通って汚液が噴出する場合がある。
【０００７】
そのようにして、体腔内汚液が処置具挿入口から噴出すると、術者の顔や手に汚液がかかったり、周囲に飛散して非常に不衛生な状態になってしまう場合があるが、そのような体腔内汚液の噴出を完全に防止するのは困難である。
【０００８】
そこで本発明は、処置具挿入口から体腔内汚液が外方に飛び散らず、内視鏡検査を衛生的に行うことができる内視鏡の汚液飛散防止具を提供することを目的とする。
【０００９】
【課題を解決するための手段】
上記の目的を達成するため、本発明の内視鏡の汚液飛散防止具は、内視鏡の操作部に形成された突出部の先端に配置された処置具挿入口を覆うための柔軟性のある吸水性材料からなる汚液吸収部材を、上記突出部に着脱自在に保持したことを特徴とする。
【００１０】
なお、通常は閉じていて処置具が挿入されるとそれによって押し開かれる鉗子栓が上記処置具挿入口部に着脱自在に取り付けられていて、上記突出部からの上記汚液吸収部材の脱落が上記鉗子栓によって阻止されていてもよい。
【００１１】
また、通常は閉じていて処置具が挿入されるとそれによって押し開かれる鉗子栓が上記処置具挿入口部に着脱自在に取り付けられていて、上記突出部からの上記汚液吸収部材の脱落を阻止するための部材が、上記鉗子栓とは別部材として設けられていてもよい。
【００１２】
そして、上記汚液吸収部材に、上記処置具挿通口部が通される孔が形成されていてもよく、上記鉗子栓又は上記別部材に、上記汚液吸収部材を押さえるための押さえ部が形成されていて、上記操作部又は上記突出部と上記押さえ部との間に上記汚液吸収部材が挟持されていてもよい。
【００１３】
【発明の実施の形態】
図面を参照して本発明の実施の形態を説明する。
図１において、１は内視鏡の操作部１であり、図示されていない内視鏡挿入部の先端に出口が開口する鉗子チャンネル４の入口開口である処置具挿入口５が、挿入口金１０の突端に開口している。挿入口金１０は、操作部１に形成された突出部３の先端からさらに突出して設けられている。
【００１４】
挿入口金１０の先側の半部には、弾力性のあるゴム製の鉗子栓１１が着脱自在に取り付けられている。挿入口金１０の突端部にはフランジ状の鍔が形成されており、その形状に合わせて鉗子栓１１側に係合孔が形成されている。
【００１５】
したがって、挿入口金１０が鉗子栓１１の係合孔に差し込まれるように、少し強い力を加えて鉗子栓１１を挿入口金１０に押しつければ、鉗子栓１１が弾性変形をしながら挿入口金１０に被さっていき、最後は図１に示されるように、挿入口金１０の先端の鍔部が抜け止めになる安定状態に取り付けられる。そして、鉗子栓１１を指先等で摘んで捲るような少し強い力を加えれば、鉗子栓１１が弾性変形しながら挿入口金１０から取り外される。
【００１６】
鉗子栓１１が挿入口金１０に取り付けられた状態では、鉗子栓１１の中央部分が挿入口金１０の口元（即ち処置具挿入口５）内に食い込むように嵌まり込んで、処置具挿入口５が密閉される。
【００１７】
その鉗子栓１１の中央部には、通常の状態では閉じているスリット１２が形成されている。スリット１２は、外方に向かって次第に広がるテーパ孔の底部に形成されていて、そのテーパ孔の外端部が鉗子栓１１の処置具挿入口１５になっており、図示されていない処置具類をそこから差し込んでスリット１２に通すことができる。
【００１８】
スリット１２は、処置具が挿入されると弾性変形して押し広げられ、処置具の先端は、鉗子チャンネル４内を通って、図示されていない先端出口から患部へ向かって突き出される。
【００１９】
２０は汚液飛散防止具であり、図２に示されるように、例えば柔軟性のあるガーゼ、高分子含水性ポリマー又は親水性不織布等の吸水性材料からなる汚液吸収部材２１によって形成されている。
【００２０】
この実施の形態の汚液飛散防止具２０には、挿入口金１０が緩く差し込まれる径の取り付け孔２５が中央部に形成されており、内視鏡使用時には、図１に示されるように、取り付け孔２５に挿入口金１０を差し込んで、その上から鉗子栓１１を挿入口金１０の先側に取り付ける。
【００２１】
鉗子栓１１は、挿入口金１０に対して帽子を被せたような状態に取り付けられるので、それによって汚液飛散防止具２０が挿入口金１０から抜け出さないように押さえられる。
【００２２】
そのようにして汚液吸収部材２１に面する鉗子栓１１の底部には鍔１１ａが突設されていて、汚液吸収部材２１を広い面積で安定した状態に押さえることができる。
【００２３】
操作部１から汚液飛散防止具２０を取り外す際には、鉗子栓１１を挿入口金１０から取り外せばよい。このように、汚液飛散防止具２０を操作部１に対して安定した状態に確実に取り付けることができ、操作部１に対する着脱も容易に行うことができる。
【００２４】
挿入口金１０に取り付けられた汚液飛散防止具２０は、汚液吸収部材２１の一方の半部がＵターン状に折り戻されて、鉗子栓１１の処置具挿入口１５部分に被せられている。
【００２５】
その結果、鉗子チャンネル４を通ってきた体腔内の汚液が処置具挿入口１５から外へ噴出しても、汚液吸収部材２１に吸い取られるので、周囲に飛散したり術者の手や顔にかかったりしない。
【００２６】
図３及び図４は、本発明の第２の実施の形態を示しており、図３に示されるように、取り付け孔２５が汚液飛散防止具２０の中央ではなく側方に寄せて配置されている。
【００２７】
そして、図４に示されるように、操作部１の突出部３に取り付け孔２５を係合させて、その上から鉗子栓１１を被せるように取り付けてある。汚液吸収部材２１は、長手側が上方から鉗子栓１１の処置具挿入口１５を覆うように配置されている。
【００２８】
図４において、２は可撓管状の内視鏡挿入部、７は送気送水操作弁、８は吸引操作弁、９は湾曲操作ノブである。汚液飛散防止具２０が処置具挿入口１５を覆う状態が邪魔な時は、図４に鎖線で示されるように、操作部１の握り部１ａと共に汚液吸収部材２１を握り込めばよい。
【００２９】
図５は本発明の第３の実施の形態を示しており、汚液吸収部材２１を押さえる鉗子栓１１の鍔１１ａを大きく形成して、汚液飛散防止具２０を、よりしっかりと押さえられるようにしたものである。
【００３０】
図６及び図７は本発明の第４の実施の形態を示しており、図６に示されるように、突出部３の先端の挿入口金１０に取り付けられた鉗子栓１１にワニの尾状の尾部１１ｂを形成して、その尾部１１ｂと操作部１の表面との間に汚液飛散防止具２０を挟み込んで固定したものである。この場合の汚液飛散防止具２０には、図７に示されるように、取り付け用の孔を形成する必要がない。
【００３１】
図８は本発明の第５の実施の形態を示しており、汚液飛散防止具２０に取り付け孔２５が形成されていて、その取り付け孔２５を操作部１の突出部３に係合させて、その上から、鉗子栓１１とは別部材として設けられた押さえ部材１７によって押さえるようにしたものである。
【００３２】
押さえ部材１７は弾力性のあるゴム製であり、突出部３に突設されたフランジ部１８に対して、弾性変形させて容易に着脱することができ、その際に鉗子栓１１を取り外す必要がない。したがって内視鏡検査中でも汚液飛散防止具２０の交換を容易に行うことができる。
【００３３】
【発明の効果】
本発明によれば、内視鏡の処置具挿入口を覆うための柔軟性のある吸水性材料からなる汚液吸収部材を設けたことにより、処置具挿入口から体腔内汚液が外方に飛び散らず、内視鏡検査を衛生的に行うことができる。また、内視鏡検査終了直後には汚液吸収部材で内視鏡挿入部等を拭くこともできる。
【００３４】
そして、処置具挿入口が設けられた操作部の突出部に汚液吸収部材を着脱自在に保持したので、汚液吸収部材を必要に応じて容易に付け替え交換等することができる。
【図面の簡単な説明】
【図１】本発明の第１の実施の形態の汚液飛散防止具が操作部に取り付けられた使用状態の側面断面図である。
【図２】本発明の第１の実施の形態の汚液飛散防止具の斜視図である。
【図３】本発明の第２の実施の形態の汚液飛散防止具の斜視図である。
【図４】本発明の第２の実施の形態の汚液飛散防止具が操作部に取り付けられた使用状態の一部を断面で示す側面図である。
【図５】本発明の第３の実施の形態の汚液飛散防止具が操作部に取り付けられた使用状態の側面断面図である。
【図６】本発明の第４の実施の形態の汚液飛散防止具が操作部に取り付けられた使用状態の側面断面図である。
【図７】本発明の第４の実施の形態の汚液飛散防止具の斜視図である。
【図８】本発明の第５の実施の形態の汚液飛散防止具が操作部に取り付けられた使用状態の側面断面図である。
【符号の説明】
１  操作部
３  突出部
５  処置具挿入口
１０  挿入口金
１１  鉗子栓
１５  処置具挿入口
２０  汚液飛散防止具
２１  汚液吸収部材
２５  取り付け孔２５
【図１】
0003554449.tif 000002
【図２】
0003554449.tif 000003
【図３】
0003554449.tif 000004
【図４】
0003554449.tif 000005
【図５】
0003554449.tif 000006
【図６】
0003554449.tif 000007
【図７】
0003554449.tif 000008
【図８】
0003554449.tif 000009